(57)【要約】【課題】トランペットなどのような金管楽器において、息の抵抗感のバランスを均等にして吹奏しやすくする。特に、急速なパッセージを演奏できるようにする。【解決手段】ケーシングホール２２を有したバルブケーシング２１内に、ピストンホール３２を有するピストン管３１が、押下されたときにばね５２，６５の弾性力で上動するように収納された金管楽器のピストンバルブ１１において、上記ピストン管３１を、ピストン管３１の上下両方向に位置する部位から独立して設ける。そして、ピストン管３１とその上下両方向に位置する部位との間には、ピストン管３１を浮遊させるべく反発し合う浮遊用磁石３５，３７，５４，６８を備えるとともに、ピストン管３１とバルブケーシング２１との間には、ピストンホール３２とケーシングホール２２との上下方向での位置を一致させるべく磁石の反発力で周方向での向きを規制する向き規制磁石２３，３８を備えた金管楽器のピストンバルブ１１。【選択図】図１
2008139767.tif 000002
【特許請求の範囲】
【請求項１】
ケーシングホールを有したバルブケーシング内に、ピストンホールを有するピストン管が、押下されたときにばねの弾性力で上動するように収納された金管楽器のピストンバルブであって、
上記ピストン管が、ピストン管の上方に位置する部位から独立して設けられ、
該ピストン管と上記バルブケーシングとの間には、ピストンホールとケーシングホールとの上下方向での位置を一致させるべく周方向での向きを規制する向き規制手段が設けられた
金管楽器のピストンバルブ。
【請求項２】
ケーシングホールを有したバルブケーシング内に、ピストンホールを有するピストン管が、押下されたときにばねの弾性力で上動するように収納された金管楽器のピストンバルブであって、
上記ピストン管が、ピストン管の上下両方向に位置する部位から独立して設けられ、
該ピストン管と上記バルブケーシングとの間には、ピストンホールとケーシングホールとの上下方向での位置を一致させるべく周方向での向きを規制する向き規制手段が設けられた
金管楽器のピストンバルブ。
【請求項３】
前記ピストン管と、該ピストン管の上方または上下両方向に位置する部位との間には、ピストン管を浮遊させるべく反発し合う磁石が備えられた
請求項１または請求項２に記載の金管楽器のピストンバルブ。
【請求項４】
前記向き規制手段が、反発力を発揮する磁石を周方向において配設してなるものである
請求項１から請求項３のうちいずれか一項に記載の金管楽器のピストンバルブ。
【発明の詳細な説明】
【技術分野】
【０００１】
この発明は、たとえば、トランペットやフリューゲルホルン、コルネット、ユーフォニウム、チューバ等の金管楽器のピストンバルブに関し、より詳しくは、吹奏しやすく、急速なパッセージを演奏することもできるような金管楽器のピストンバルブに関する。
【背景技術】
【０００２】
上述例のような金管楽器は、バルブの操作で息の通り道の長さを変えて色々な音を出す楽器である。そして、バルブのなかでもピストンバルブは、図７に示したように、筒状のバルブケーシング１０２内をピストン管１０３が上下動することによって音が変化する構造である。すなわち、ピストンバルブ１０１は、バルブケーシング１０２と、このバルブケーシング１０２内に収納されたピストン管１０３と、このピストン管１０３を押下するためにピストン管１０３に対して一体的に設けられた操作部１０４とよりなる。操作部１０４は、押し金１０４ａ、ピストン軸１０４ｂ、押下されたピストン管１０３を上動させて元の位置に戻すばね１０４ｃを有し、上記バルブケーシング１０２の所定位置には、ケーシングホール１０２ａが形成されるとともに、外周面からは枝管（図示せず）が突設される。また、上記ピストン管１０３の所定位置にはピストンホール１０３ａが設けられ、ピストン管１０３の内部には、図９に示したように、ピストンホール同士を連結する内筒管１０３ｂが設けられている。つまり、ピストン管１０３の上下動に伴ってケーシングホール１０２ａに接続するピストンホール１０３ａが変わることで、息の通り道の長さが変わる。
【０００３】
上記ばね１０４ｃは、ピストン管１０３の上方に収納される上ばね方式（図７参照）と、ピストン管の下方に収納される下ばね方式（下記特許文献１参照）とがあり、細かな構造はそれぞれ異なるが、いずれの場合でも、ピストンの向きを規制するガイド手段が設けられている。
【０００４】
このガイド手段は、図７、図８や特許文献１にも開示されているように、ピストン側に設けられたガイド部材１０５と、バルブケーシング１０２側に設けられた溝１０２ｂとよりなる。すなわち、ガイド部材１０５に、外周方向に突出する突起１０５ａが形成され、この突起１０５ａが、上下方向に延びている溝１０２ｂに嵌め込まれ、周方向での回り止めがなされる。
【０００５】
しかし、ガイド部材１０５の突起１０５ａは溝１０２ｂに対して着脱自在な構造であり、両者の間にクリアランスが存在する。このため、僅かではあるが、図８に示したようにピストン管１０３は回転する。したがって、押し金１０４ａを押下するときに回転力が作用すれば、ピストン管１０３は回転し、ピストンホール１０３ａとケーシングホール１０２ａとがずれでしまい、吹奏時に息の抵抗感のバランスが崩れ、均等に保てない。この結果、急速なパッセージ（音形）等を演奏する時には出やすい音、出にくい音があって、演奏に支障をきたすことがあった。
【特許文献１】特開２０００−１５５５６９号公報
【発明の開示】
【発明が解決しようとする課題】
【０００６】
そこで、この発明は、バルブケーシングのケーシングホールとピストン管のピストンホールとが常に正しく合うようにすることを主たる課題とする。
【課題を解決するための手段】
【０００７】
そのための手段は、ケーシングホールを有したバルブケーシング内に、ピストンホールを有するピストン管が、押下されたときにばねの弾性力で上動するように収納された金管楽器のピストンバルブであって、上記ピストン管が、ピストン管の上方に位置する部位から独立して設けられ、該ピストン管と上記バルブケーシングとの間には、ピストンホールとケーシングホールとの上下方向での位置を一致させるべく周方向での向きを規制する向き規制手段が設けられた金管楽器のピストンバルブである。
【０００８】
別の手段は、ケーシングホールを有したバルブケーシング内に、ピストンホールを有するピストン管が、押下されたときにばねの弾性力で上動するように収納された金管楽器のピストンバルブであって、上記ピストン管が、ピストン管の上下両方向に位置する部位から独立して設けられ、該ピストン管と上記バルブケーシングとの間には、ピストンホールとケーシングホールとの上下方向での位置を一致させるべく周方向での向きを規制する向き規制手段が設けられた金管楽器のピストンバルブである。
【０００９】
すなわち、ピストン管は、その上方または上下両方向に位置する部位から独立しているので、ピストン管の周方向での向きは向き規制手段のみによって規制され、ピストン管を押下する時の操作に影響されない。このため、ピストン管は向き規制手段によって規制されている適正な位置で上下動する。
【発明の効果】
【００１０】
以上のように、この発明によれば、ピストン管は押下操作による影響を受けずに適正な位置で上下動するので、ピストンホールとケーシングホールは回転方向にずれることなく常に一致する。
【００１１】
このため、バランスの良い均等な抵抗感を吹奏時に得られる。この結果、急速なパッセージを演奏する時でも、出やすい音、出にくい音がなく、良好に演奏できる。
【００１２】
また、ピストン管は、その上方または上下両方向の部位とは独立しているので、ピストン管を上動させるばねにかかる荷重（ばね荷重）を小さくすることができる。この結果、ピストン管の戻りを早くすることができて、このことによっても、上述のように急速なパッセージを演奏できるという効果が得られる。
【発明を実施するための最良の形態】
【００１３】
この発明を実施するための一形態を、以下図面を用いて説明する。  
図１は、ピストンバルブ１１の断面図、図２はその分解斜視図であり、バルブケーシング２１と、このバルブケーシング２１内に収納されたピストン管３１を有する。そして、ピストン管３１は、バルブケーシング２１から独立したものであるのは勿論のこと、ピストン管３１の上下両方向に位置する部材からも独立であって、図３に示したように浮遊する如くバルブケーシング２１内を上下動するように、バルブケーシング２１内に収納される。
【００１４】
バルブケーシング２１は円筒状に形成され、所定位置にケーシングホール２２が形成されている。ケーシングホール２２の外周面からは、枝管が延設されるが、便宜上、枝管の図示は省略している。また、金管楽器の一例としてのトランペットにおいては３個のピストンバルブが必要であるが、それぞれにおいてケーシングホール２２の位置は異なる。図示のケーシングホール２２の位置等は一例である。
【００１５】
このようなバルブケーシング２１の内周面には、図２、図４に示したように、ピストン管３１の向きを規制する向き規制手段の一部を構成する向き規制第１磁石２３が取り付けられている。向き規制第１磁石２３は、直線状をなす形態のものであり、適宜の間隔を隔てた２本の平行線をなすように２本ずつ、中心を隔てて相対向するように２箇所に取り付けられ、共にＮ極またはＳ極の同一極が内側に向くように設定されている。
【００１６】
なお、向き規制第１磁石２３の長さや形成位置は、ケーシングホール２２の位置に基づいて適宜設定されるが、少なくともピストン管３１が上下動する部位の一部には形成される。
【００１７】
このようなバルブケーシング２１の上端の開口部２４には、中央に挿通孔４１ａを有する笠部材４１が着脱自在に取り付けられ、下端の開口部２５には、中央に通気孔５１ａを有する底部材５１が着脱自在に取り付けられる。
【００１８】
そして、底部材５１の上面の内周側部位には突出部５１ｂが形成され、この突出部５１ｂにピストン管３１の下方に位置して押し下げられたピストン管３１を上方へ戻そうとするばね５２が保持されている。このばね５２の上端には、略円板状の支持板５３が取り付けられる。支持板５３は、バルブケーシング２１内を摺動可能な大きさに形成され、上下方向に貫通する貫通孔５３ａを有する。また、外周縁の２箇所には、外方に突出する突部５３ｂ，５３ｂが設けられ、バルブケーシング２１の内周面における上記突部５３ｂに対応する部位に、下端の開口部２５から所定高さまで延びる下側溝部２６，２６が形成され、支持板５３が回転することなく円滑に上下動するように構成されている。さらに、支持板５３の中央には、上方に突出する軸部５３ｃが設けられ、この軸部５３ｃの周囲には、Ｎ極またはＳ極を上に向けた浮遊用第１磁石５４が固定されている。
【００１９】
上記ピストン管３１は、バルブケーシング２１内に、息を漏らさない僅かな隙間を隔てて収納されたものであり、上記ケーシングホール２１と同形同大のピストンホール３２が所定位置に形成されている。対応するピストンホール３２同士は内筒管３３で連結される。
【００２０】
そして、ピストン管３１の下端には、中央に孔部３４ａを有した底板３４が固定され、この底板３４の孔部３４ａの周囲には、中心に孔３５ａを有した円板状の浮遊用第２磁石３５が固定される。
【００２１】
浮遊用第２磁石３５はその下面がＮ極またはＳ極に設定され、上記支持板５３の浮遊用第１磁石５４と反発し合う。
【００２２】
上記底板３４の孔部３４ａと浮遊用第２磁石３５の孔３５ａの大きさは、上記支持板５３に設けられた軸部５３ｃが相対回転可能（換言すれば、遊嵌したような状態）に挿通されるもので、ピストン管３１と支持板５３との円滑な上下動を図っている。
【００２３】
ピストン管３１の上端には、中央に孔部３６ａを有する蓋板３６が設けられ、この蓋板３６の上面には、中心に孔３７ａを有した浮遊用第３磁石３７が固定されている。浮遊用第３磁石３７の上面は、Ｎ極またはＳ極に設定されている。
【００２４】
また、ピストン管３１の外周面には、図１、図２、図４に示したように上下方向に長い線状の向き規制第２磁石３８が取り付けられる。この向き規制第２磁石３８は、上記バルブケーシング３１の内周面に設けられた一組の向き規制第１磁石２３，２３の間にゆったりと収まる幅の線状に形成され、２本の向き規制第１磁石２３の間に位置した時に、ピストンホール３２とケーシングホール２２とが上下方向で整列する位置に設定される。そして、バルブケーシング２１の向き規制第１磁石２３がＮ極またはＳ極を内側に向けているのに対して、ピストン管３１の向き規制第２磁石３８は、Ｎ極またはＳ極を外側、すなわちバルブケーシング２１に向けており、互いに反発し合うように構成されている。
【００２５】
このようなピストン管３１の上方には、ピストン管３１を押下するための操作部材６１が備えられる。操作部材６１は、上から、押し金６２と、押し金６２の下面に着脱可能に設けられるピストン軸６３と、ピストン軸６３の下端に取り付けられる略円筒状の軸管６４とを有する。
【００２６】
軸管６４には、押下された操作部材６１を元の位置に戻すためのばね６５が収納されている。軸管６４の下端は底板６６で閉塞されるとともに、底板６６の上側には、平面視略円板状の規制板６７が、ばね６５に押さえつけられた状態で保持されている。規制板６７の外周面には、図１に示したように、バルブケーシング２１の内周面位置よりも外方に張り出す突部６７ａ，６７ａが設けられ、この突部６７ａを受け入れる上側溝部２７が、バルブケーシング２１の上端から下に向けて所定の高さまで形成されている。
【００２７】
そして、上記底板６６の下面における中央には下方へ向けて突出する軸部６６ａが形成される。底板６６下面の軸部６６ａの周辺部には、中心に孔６８ａを有する浮遊用第４磁石６８が固定されている。浮遊用第４磁石６８は、下面がＮ極またはＳ極に設定され、上記ピストン管３１の上面に設けられた浮遊用第３磁石３７と相反発する。また、軸部６６ａは、ピストン管３１上端の蓋板３６の孔部３６ａと浮遊用第３磁石３７の孔３７ａに対して相対回転可能に差し込まれるものである。操作部材６１とピストン管３１との円滑な上下動を図っている。
【００２８】
なお、各磁石２３，３５，３７，３８，５４，６８には、各種の永久磁石が用いられ、その磁力は、使用するばね５２，６５のばね定数に基づいて、互いに反発し合うように適宜設定される。また、図中、６９はフェルトである。
【００２９】
このように構成されたピストンバルブ１１では、次のようにして組み立てて使用される。まず、バルブケーシング２１に対して底部材５１を固定する。次に、バルブケーシング２１に対してピストン管３１を上から収納する。この収納に際しては、ピストン管３１の向き規制第２磁石３５が、図４に示したようにバルブケーシング２１の一組の向き規制第１磁石２３の間に入るようにする。つづいて、操作部材６１をバルブケーシング２１の上から取り付け、笠部材４１を固定する。すると、ピストン管３１は、バルブケーシング２１の中で、操作部材６１からも支持板５３からも独立し、しかも各磁石２３，３５，３７，３８，５４，６８が反発し合っている状態であって、操作部材６１や支持板が回転しても共回りしない。
【００３０】
このような構成のピストンバルブ１１では、操作部材６１の押し金６２を押下すると、軸管６４がばね６５を押し縮めて降下する。このとき、軸管６４の下端の浮遊用第４磁石６８とピストン管３１の上端の浮遊用第３磁石３７は反発しあっているので、降下する力だけをピストン管３１に伝達することができる。軸管６４によって直接的に押下されたピストン管３１はばね５２を押し縮めて降下し、バルブケーシング２１のケーシングホール２２に接続するピストンホール３２が変わる。このとき、ピストン管３１の下端の浮遊用第２磁石３５は、対向する支持板５３の浮遊用第１磁石５４と反発し合うので、ピストン管３１の降下は、支持板５３の影響を受けずに行われる。
【００３１】
また、ピストン管３１の降下は、バルブケーシング２１との間に設けられた向き規制手段としての向き規制第１磁石２３と向き規制第２磁石３８によって、一定の向きに保持された状態で行われる。
【００３２】
このため、ピストン管３１は向き規制手段以外に支配されることなくバルブケーシング２１内を上下動する。この結果、ピストンホール３２とケーシングホール２２の周方向での位置が不測にずれることはなく、ぴたりと合致した所定の連通がなされる。したがって、吹奏時の抵抗感が均等で、すべての音を良好に出すことができる。
【００３３】
また、ピストン管３１は上下両方向に位置する部材とは別体であり、第１ばねは５２ピストン管３１の下方で支持板５３を付勢し、ばね６５はピストン管３１の上方において操作部材６１を付勢している構成であるので、ばね荷重が小さい。このため、降下されたピストン管３１の戻りを素早く行わせることができ、急速なパッセージを演奏するのによい。しかも、上述のようにすべての音を良好に出すことができて、出にくい音がないことによっても、急速なパッセージを演奏するのに好適なものとなる。金管楽器ではこれまで不可能だった急速なパッセージが演奏可能となる。
【００３４】
以下、その他の形態について説明する。この説明において、上記ピストンバルブ１１の構成と同一または同等の部位については同一の符号を付してその詳しい説明を省略する。
【００３５】
図５は、下ばね方式のピストンバルブ１１の例である。バルブケーシング１１の下に固定する底部材５１の上面の内周側部位に、押下された操作部材６１を戻すためのばね５２が保持され、このばね５２の上端に、支持板５３が保持される。支持板５３には、ピストン管３１の下端に設けられた浮遊用第２磁石３５と反発し合う浮遊用第１磁石５４が設けられている。
【００３６】
一方、ピストン管３１の上端に設けられた浮遊用第３磁石３７と反発し合う浮遊用第４磁石６８が、操作部材６１の下端に設けられるが、この操作部材６１は、押し金６２と、ピストン軸６３と、ピストン軸６３の下端に固定される円板状の底板６６とで構成され、浮遊用第４磁石６８は底板６６の下面に設けられる。
【００３７】
底板６６は、バルブケーシング２１内を上下方向に摺動可能な平面視円板状で、外方に突出する２個の突起６６ｂ，６６ｂが設けられている。これらの突起６６ｂ，６６ｂは、バルブケーシング２１の内周面に形成された上側溝部２７内を摺動する。
【００３８】
また、ピストン軸６３の下端からは、底板６６よりも下に突出する軸部６３ａが設けられ、この軸部６３ａは、ピストン管３１の上端に固定された蓋板３６の中心の孔部３６ａに相対回転自在に挿入される。
【００３９】
図６は、上ばね方式のピストンバルブ１１の例である。つまり、ピストン管３１は、操作部材６１の下端に吊り下げられたように保持される。このピストン管３１を操作部材６１から独立して、浮遊したような状態にするため、ばね６５を収容した軸管６４の下端に、円筒状の垂下筒部６４ａが取り付けられ、この垂下筒部６４ａの下端から外周方向に突出する鍔状の鍔部６４ｂが形成されている。この鍔部６４ｂの下面には浮遊用第１磁石６４ｃが固定されるとともに、鍔部６４ｂの上面には、浮遊用第２磁石６４ｄが固定される。一方、ピストン管３１の上端部には、それより下の部位よりも小径であって、上記垂下筒部６４ａの内径よりも小径に設定された上端筒部３１ａが形成され、この上端筒部３１ａの下端位置における外周側部位には、上記浮遊用第１磁石６４ｃと反発し合う浮遊用第３磁石３７が固定されている。
【００４０】
そして、このピストン管３１の上端部には、上記垂下筒部６４ａと鍔部６４ｂを挟み込むようにキャップ部材３９が固定される。このキャップ部材３９は、ピストン管３１の外径と同径の略筒状をなし、上端に、内周方向に向けて突出する環状部３９ａを有しており、この環状部３９ａの下面に、上記浮遊用第２磁石６４ｄと反発し合う浮遊用第４磁石３９ｂが固定されている。環状部３９ａの内径は、軸管６４の外径よりも大きく、相対回転自在である。
【００４１】
組立てに当たっては、まず、キャップ部材３９を軸管６４に対して予め挿嵌しておき、この状態の軸管６４の垂下筒部６４ａとピストン管３１の上端筒部３１ａとを相互に嵌め合う。次に、キャップ部材３９の下端部３９ｃをピストン管３１の上端部に形成された固定段部３１ｂに固定する。
【００４２】
すると、ピストン管３１は、各磁石６４ｃ，６４ｄ，３７，３９ｂが反発し合うので、軸管６４の下端に、相対回転可能に吊り下げられたような状態になる。
【００４３】
図５、図６いずれのピストンバルブ１１においても、ピストン管３１は上下方向に位置する部材からは独立であって、向き規制手段以外に支配されることなくバルブケーシング２１内を上下動するので、上述のような作用効果を得ることができる。
【００４４】
この発明の構成と、上記一形態の構成との対応において、  
この発明の向き規制手段は、向き規制第１磁石２３と向き規制第２磁石３８に対応し、  
ピストン管を浮遊させるべく反発し合う磁石は、浮遊用第１磁石５４，６４ｃ、浮遊用第２磁石３５，６４ｄ、浮遊用第３磁石３７および浮遊用第４磁石６８，３９ｂに対応するも、  
この発明は上記の構成のみに限定されるものではなく、その他の形態を採用することもできる。
【００４５】
ピストン管を浮遊させるべく反発し合う磁石に代えて、潤滑性の高いベアリング等の機構を組み込んで構成することもできる。
【００４６】
また、向き規制手段としては、たとえばピストン管とバルブケーシングの断面形状を、真円ではなく僅かに変形させて周方向で相対回転不可能な構造とする向き規制手段を採用することもできる。
【図面の簡単な説明】
【００４７】
【図１】ピストンバルブの縦断面図。
【図２】ピストンバルブの分解状態の側面図。
【図３】ピストンバルブの要部の拡大断面図。
【図４】ピストンバルブの横断面図。
【図５】他の例に係るピストンバルブの縦断面図。
【図６】他の例に係るピストンバルブの縦断面図。
【図７】従来技術を示す縦断面図。
【図８】従来技術の問題点を説明する横断面図。
【符号の説明】
【００４８】
１１…ピストンバルブ
２１…バルブケーシング
２２…ケーシングホール
２３…向き規制第１磁石
３１…ピストン管
３２…ピストンホール
３５…浮遊用第２磁石
３７…浮遊用第３磁石
３８…向き規制第２磁石
３９ｂ…浮遊用第４磁石
５２…ばね
５４…浮遊用第１磁石
６４ｃ…浮遊用第１磁石
６４ｄ…浮遊用第２磁石
６５…ばね
６８…浮遊用第４磁石
【図１】
2008139767.tif 000003
【図２】
2008139767.tif 000004
【図３】
2008139767.tif 000005
【図４】
2008139767.tif 000006
【図５】
2008139767.tif 000007
【図６】
2008139767.tif 000008
【図７】
2008139767.tif 000009
【図８】
2008139767.tif 000010